(57)【特許請求の範囲】
【請求項１】
ポリエチレンテレフタレート樹脂製のシート素材を膨出成形させてなり、容器本体(1)と蓋体(2)とが一側の折り曲げ部(3)を介して一連となって形成されているポリエチレンテレフタレート樹脂シート製容器であって、前記折り曲げ部(3)の内面側に長手方向に沿って切断用の糸状体(5)が添設されていると共に、折り曲げ部(3)に於ける前記糸状体(5)を幅のあるものとし、この糸状体(5)の添設幅内に該糸状体(5)よりも小幅の一筋の開封補助用のミシン目(4)が形成されている合成樹脂シート製容器。
【発明の詳細な説明】
【０００１】
【発明の属する技術分野】
本発明は、一般に知られている合成樹脂製のシート素材を膨出成形させて、容器本体と蓋体とが一側の折り曲げ部を介して一連となって形成されている容器に関し、封止された容器の開封を容易且つ安全にするための合成樹脂シート製容器に関するものである。
【０００２】
【従来の技術】
上記のような容器本体と蓋体とが、一側の折り曲げ部を介して一連となって形成されている容器の使用形態を、図１１に基づいて、実施例と共通する符号を用いて説明すると、容器に商品を収納した後、蓋体２を折り曲げ部３の部位で折り曲げて前記容器本体１の上から被せ、重なり合った容器本体１の外周縁部と蓋体２の外周縁部とを粘着テープ又はホッチキスで止めて閉蓋する。折り曲げ部３には、当該折り曲げ部３を切断して開封を容易にするために、２筋のミシン目４，４が形成されている。ミシン目４は、実施例に置ける図３に一例を示すように穴部４ａと連続部４ｂとが連続形成され、曲げ強度が低くなっているので、閉蓋状態においては図１１に拡大断面を示すように、折り曲げ部３はミシン目４，４の部位で折り曲げられた状態となっている。
【０００３】
【発明が解決しようとする課題】
上述した包装状態の容器を開封するには、前記折り曲げ部３の２筋のミシン目４，４に挟まれた帯状部分３ｃの端部を容器の側方即ち図１２に記入された矢印の方向に引っ張ると、最初にミシン目４の連続部４ｂが引き伸ばされ、次いで図１３に示すごとくに連続部４ｂが破断して容器本体１と蓋体２とが分離される。この時、両図面に示されるように連続部４ｂは破断後は図１３の拡大部分に示されるように帯状部分３ｃの引っ張り方向に尖った楔形状の破断跡４ｃとなり、容器材料として多用されているＰＥＴ（ポリエチレンテレフタレート）が比較的硬質の材料であるから誤って手が切断縁部３ａ，３ｂに触れたときに鋸のように作用して怪我をする危険性があるという解決すべき課題をかかえていた。
【０００４】
そこで、本発明者は、十分な商品保護能力と公害防止の立場から、非塩素系樹脂材料、殊にＰＥＴ樹脂を使用し、開封に際して蓋体と容器本体との分離が手軽にでき、且つ切断部分に開蓋後に危険な切断跡を残すことが無く、使用者が安心して取り扱うことのできる合成樹脂シート製容器を提供する事を目的と
【０００５】
【課題を解決するための手段】
上記目的を達成するための本発明の合成樹脂シート製容器の構成を、実施例を示す図面と共通の符号を用いて説明すると、ポリエチレンテレフタレート樹脂製のシート素材を膨出成形させてなり、容器本体１と蓋体２とが一側の折り曲げ部３を介して一連となって形成されているポリエチレンテレフタレート樹脂シート製容器であって、前記折り曲げ部３の内面側に長手方向に沿って切断用の糸状体５が添設されていると共に、折り曲げ部３に於ける前記糸状体５を幅のあるものとし、この糸状体５の添設幅内に該糸状体５よりも小幅の一筋の開封補助用のミシン目４が形成されている。
【０００６】
【発明の実施の形態】
本発明を実施するに当たっては、容器本体１と蓋体２とはＰＥＴ樹脂シートを材料とし、従来と同じく真空成形若しくは圧空成型によって所定の形状を付与する。合成樹脂シートはこの様な容器に対して、従来から用いられているシート材であればいかなる種類のものでも使用できるが、十分な商品保護能力と公害防止の立場から、非塩素系樹脂材料を使用し、特に素材をＰＥＴ（ポリエチレンテレフタレート）樹脂としたので廃材リサイクルが可能であり、又、焼却処理する場合でも発熱量が少いので、焼却炉の寿命を延ばし、且つダイオキシン等の有害物質の生成を防いで公害問題解決に対処し得るものである。
【０００７】
開封を目的として、折り曲げ部３の閉蓋時に内面側に長手方向に沿って切断用の糸状体５が添設され、更に開封作業を容易とするために開封補助用のミシン目４が前記糸状体５の添設幅内に形成されている。ミシン目４は通称であって、一般には図３に示すように、短小な切れ目である穴部４ａと、ミシン目４により区分されたシートを連結している連続部４ｂとが交互に連続して設けられており、形成条数は前記糸状体５の添設幅内であって１筋形成すれば良い。
【０００８】
糸状体５は開封補助用のミシン目４が形成されているので、必ずしも折り曲げ部３を形成するＰＥＴ樹脂シートよりも大きい引っ張り耐力を有する必要はない。又、糸状体５の添設に関して工程の一例を示すと、糸状体５は連続成形された容器の折り曲げ部３の所定の位置に長尺のまま添わせて配置し、例えば折り曲げ部３の端部のような要所々々を熱溶着させてから、容器を仕上り形状に切断する時に同時に切断することにより、合理的に量産することができる。
【０００９】
かかる構造の合成樹脂シート製容器を開封するには、図１に示すように糸状体５の端部５ａを持って該糸状体５の導出方向とは反対方向に引っ張ると、図５に要部を拡大して示すように、先ず糸状体５によりミシン目４の連続部４ｂが引っ張られて破断し、次ぎに残存している破断跡４ｃは、糸状体５が通過するにつれて糸状体５の長手方向端縁部５ｂによって通過方向に押し曲げられ、破断跡４ｃの尖った先端部は図５，図６，図７並びに図１の一部拡大部分に示すように、切断された容器本体及び蓋体の長手方向の切断端縁部３ａ，３ｂに向かって曲げ変形を受け、従来例のような鋸歯的な危険性を喪失して、開蓋後の容器を取り扱う手、指などに対して安全性が保障されるに至る。
【００１０】
【実施例】
以下本発明の詳細を図に示した実施例に基き説明する。図１は本発明の第１実施例の閉蓋状態と開封操作時の一部拡大斜視図、図２は同、開蓋状態の斜視図、図３、４、５、６は、折り曲げ部とミシン目及び糸状体との関係、開封動作中のミシン目と糸状体との関係を示す一部拡大断面図、平面図、正面図。図７は開封完了後の容器本体及び蓋体の外周縁切断端部を示す拡大正面図である。
【００１１】
図１は本発明の第１実施例の閉蓋状態の斜視図であって、一例として鶏卵が１０個収納できる衆知の形状の鶏卵収納用の容器を示す。素材としてＰＥＴを用い、容器本体１と蓋体２とが折り曲げ部３によって一連として成形されている。折り曲げ部３には、長手方向に添って切断用の糸状体５が添設されており、更に当該糸状体５の添設幅内に、図３に示すように、短小な切れ目である穴部４ａと容器本体１と蓋体２とを連結している連続部４ｂとが交互に連続形成されている、開封補助用のミシン目４が一筋形成されている。尚、折り曲げ部３、ミシン目４、糸状体５の相互関係を拡大して図３に示す。
【００１２】
容器を開封するには、図１に示すように糸状体５の端部５ａを持って糸状体５の導出方向とは反対方向に引っ張ると、図７に要部を拡大して示すように、先ず糸状体５によりミシン目４の連続部４ｂが引っ張られて破断し、次ぎに残存している破断跡４ｃは、糸状体５が通過するにつれて糸状体５の長手方向端縁部５ｂによって通過方向に押し曲げられ、破断跡４ｃの尖った先端部は図５，図６，図７並びに図１の一部拡大部分図に示すように、切断された容器本体及び蓋体の長手方向の切断端縁部３ａ，３ｂに向かって曲げ変形を受け、従来例のような鋸歯的な危険性を喪失して、開蓋後の容器を取り扱う手、指などに対して安全性が保障される。
【００１３】
図８、９は第２実施例の閉蓋状態及び開蓋状態の各斜視図であって、お惣菜等の食品、その他の商品を包装する一般的な蓋付きの容器に対して、本発明の開封構造を実施した実施例である。容器本体１と蓋体２とが折り曲げ部３によって一連として成形され、折り曲げ部３には、長手方向に添って切断用の糸状体５が添設されており、更に当該糸状体５の添設幅内に開封補助用のミシン目４が一筋形成されている。作用、効果とも第１実施例と同様である。
【００１４】
以上本発明の代表的と思われる実施例について説明したが、本発明は必ずしもこれらの実施例構造のみに限定されるものではなく、本発明にいう構成要件を備え、本発明にいう目的を達成し、以下にいう効果を有する範囲内において適宜改変して実施することができるものである。
【００１５】
【発明の効果】
以上の説明から既に明らかなように、本発明は、ＰＥＴ樹脂製のシート状の素材により本体と蓋体とが折り曲げ部で一連として成形されている容器において、前記折り曲げ部の内面側に長手方向に沿って切断用の幅のある糸状体が添設され、更に、折り曲げ部に於ける前記糸状体の添設幅内に小幅の開封補助用のミシン目が形成されている構造であるから、容器の開封は極めて簡単で、大した努力を必要としない。
【００１６】
又、開封に伴い、容器本体及び蓋体の外周端縁部に派生するミシン目の破断跡は、幅のある糸状体が通過するにつれて通過方向に押し曲げられ、破断跡の尖った先端部は切断された容器本体及び蓋体の長手方向端縁部に向かって曲げ変形を受け、従来例のような鋸歯的な危険性を喪失して、開蓋後の容器を取り扱う手、指などに対して安全性が保障される。従って老幼を問わず誰にでも安心して取扱うことが可能となる。
【００１７】
更に、本発明のＰＥＴ樹脂シート製容器は従来の容器と比較して糸状体を添設するだけであるから、製造するに際してもそれ程の経費増加を必要とせず、製造価格が上昇することはない。従って前述した各効果と相俟って、生産者にとっても消費者に対しても顧客にとっての商品価値と信頼性、安全性を高め、市場に良質のサービスを提供するという効果を期待し得るに至ったのである。
【図面の簡単な説明】
【図１】第１実施例の閉蓋状態と開封操作時の一部拡大斜視図。
【図２】同、開蓋状態の合成樹脂シート製容器を示す斜視図。
【図３】同、折り曲げ部及び糸状体の一部拡大平面図。
【図４】同、折り曲げ部のミシン目と糸状体との関係を示す拡大断面図。
【図５】同、開封初期並びに途中に於けるミシン目と糸状体との相互関係を示す拡大断面図。
【図６】同、開封途中のミシン目形状と糸状体とを示す長手方向拡大側面断面図。
【図７】同、容器本体及び蓋体の外周縁切断端部を示す拡大正面図。
【図８】第２実施例の閉蓋状態の斜視図。
【図９】同、開蓋状態の斜視図。
【図１０】従来例の閉蓋状態の斜視図。
【図１１】同、折り曲げ部の状態を示す拡大断面図。
【図１２】同、開封初期のミシン目を示す拡大断面図。
【図１３】同、開封完了後のミシン目形状を示す拡大断面図。
【符号の説明】
１  容器本体
２  蓋体
３  折曲部
４  ミシン目
５  糸状体
【図１】
0003546249.tif 000002
【図２】
0003546249.tif 000003
【図３】
0003546249.tif 000004
【図４】
0003546249.tif 000005
【図５】
0003546249.tif 000006
【図６】
0003546249.tif 000007
【図７】
0003546249.tif 000008
【図８】
0003546249.tif 000009
【図９】
0003546249.tif 000010
【図１０】
0003546249.tif 000011
【図１１】
0003546249.tif 000012
【図１２】
0003546249.tif 000013
【図１３】
0003546249.tif 000014